【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
（ｉ）非フッ素化ポリマー酸でドープした少なくとも１種類の導電性ポリマーと；
（ｉｉ）少なくとも１種類の高フッ素化酸ポリマーと；
（ｉｉｉ）電気絶縁性酸化物ナノ粒子と
を含む水性分散体。
【請求項２】
前記導電性ポリマーがポリチオフェン類、ポリ（セレノフェン）類、ポリ（テルロフェン）類、ポリピロール類、ポリアニリン類、多環式芳香族ポリマー類、それらのコポリマー類、およびそれらの組み合わせからなる群から選択される、請求項１に記載の分散体。
【請求項３】
前記導電性ポリマーが、ポリアニリン、ポリチオフェン、ポリピロール、縮合多環式複素環式芳香族ポリマー、それらのコポリマー類、およびそれらの組み合わせからなる群から選択される、請求項２に記載の分散体。
【請求項４】
前記導電性ポリマーが、非置換ポリアニリン、ポリ（３，４−エチレンジオキシチオフェン）、非置換ポリピロール、ポリ（４−アミノインドール）、ポリ（７−アミノインドール）、ポリ（チエノ（２，３−ｂ）チオフェン）、ポリ（チエノ（３，２−ｂ）チオフェン）、およびポリ（チエノ（３，４−ｂ）チオフェン）からなる群から選択される、請求項１に記載の分散体。
【請求項５】
前記高フッ素化酸ポリマーが、少なくとも９０％フッ素化されている、請求項１に記載の分散体。
【請求項６】
前記高フッ素化酸ポリマーがスルホン酸およびスルホンイミドから選択される、請求項１に記載の分散体。
【請求項７】
前記高フッ素化酸ポリマーがパーフルオロ−エーテル−スルホン酸側鎖を有するパーフルオロオレフィンである、請求項１に記載の分散体。
【請求項８】
前記高フッ素化酸ポリマーが、１，１−ジフルオロエチレンと２−（１，１−ジフルオロ−２−（トリフルオロメチル）アリルオキシ）−１，１，２，２−テトラフルオロエタンスルホン酸とのコポリマー、およびエチレンと２−（２−（１，２，２−トリフルオロビニルオキシ）−１，１，２，３，３，３−ヘキサフルオロプロポキシ）−１，１，２，２−テトラフルオロエタンスルホン酸とのコポリマーからなる群から選択される、請求項１に記載の分散体。
【請求項９】
前記高フッ素化酸ポリマーが、テトラフルオロエチレンとパーフルオロ（３，６−ジオキサ−４−メチル−７−オクテンスルホン酸）とのコポリマー、およびテトラフルオロエチレンとパーフルオロ（３−オキサ−４−ペンテンスルホン酸）とのコポリマーから選択される、請求項１に記載の分散体。
【請求項１０】
前記高フッ素化酸ポリマー対前記非フッ素化ポリマー酸の酸当量比が２以下である、請求項１に記載の分散体。
【請求項１１】
前記電気絶縁性酸化物ナノ粒子が５０ｎｍ以下の粒度を有する、請求項１に記載の分散体。
【請求項１２】
前記電気絶縁性酸化物が、酸化ケイ素、酸化チタン類、酸化ジルコニウム、三酸化モリブデン、酸化バナジウム、酸化アルミニウム、酸化亜鉛、酸化サマリウム、酸化イットリウム、酸化セシウム、酸化第二銅、酸化第二スズ、酸化アンチモン、酸化タンタル類、およびそれらの組み合わせからなる群から選択される、請求項１に記載の分散体。
【請求項１３】
前記電気絶縁性酸化物が、二酸化ケイ素、二酸化チタン、およびそれらの組み合わせからなる群から選択される、請求項１に記載の分散体。
【請求項１４】
請求項１に記載の分散体から作製された少なくとも１つの層を含む電子デバイス。
【手続補正２】
【補正対象書類名】明細書
【補正対象項目名】０１８９
【補正方法】変更
【補正の内容】
【０１８９】
本明細書において明記される種々の範囲内の数値が使用される場合、記載の範囲内の最小値および最大値の両方の前に単語「約」が付けられているかのように近似値として記載されている。この方法では、記載の範囲よりもわずかに上およびわずかに下のばらつきを使用して、その範囲内の値の場合と実質的に同じ結果を得ることができる。また、これらの範囲の開示は、ある値の一部の成分を異なる値の一部の成分と混合した場合に生じうる分数値を含めて、最小平均値と最大平均値との間のすべての値を含む連続した範囲であることを意図している。さらに、より広い範囲およびより狭い範囲が開示される場合、ある範囲の最小値を別の範囲の最大値と一致させること、およびその逆のことが本発明の意図の範囲内となる。
以下に、本発明の好ましい態様を示す。
［１］  （ｉ）非フッ素化ポリマー酸でドープした少なくとも１種類の導電性ポリマーと；
（ｉｉ）少なくとも１種類の高フッ素化酸ポリマーと；
（ｉｉｉ）電気絶縁性酸化物ナノ粒子と
を含む水性分散体。
［２］  前記導電性ポリマーがポリチオフェン類、ポリ（セレノフェン）類、ポリ（テルロフェン）類、ポリピロール類、ポリアニリン類、多環式芳香族ポリマー類、それらのコポリマー類、およびそれらの組み合わせからなる群から選択される、［１］に記載の分散体。
［３］  前記導電性ポリマーが、ポリアニリン、ポリチオフェン、ポリピロール、縮合多環式複素環式芳香族ポリマー、それらのコポリマー類、およびそれらの組み合わせからなる群から選択される、［２］に記載の分散体。
［４］  前記導電性ポリマーが、非置換ポリアニリン、ポリ（３，４−エチレンジオキシチオフェン）、非置換ポリピロール、ポリ（４−アミノインドール）、ポリ（７−アミノインドール）、ポリ（チエノ（２，３−ｂ）チオフェン）、ポリ（チエノ（３，２−ｂ）チオフェン）、およびポリ（チエノ（３，４−ｂ）チオフェン）からなる群から選択される、［１］に記載の分散体。
［５］  前記高フッ素化酸ポリマーが、少なくとも９０％フッ素化されている、［１］に記載の分散体。
［６］  前記高フッ素化酸ポリマーがスルホン酸およびスルホンイミドから選択される、［１］に記載の分散体。
［７］  前記高フッ素化酸ポリマーがパーフルオロ−エーテル−スルホン酸側鎖を有するパーフルオロオレフィンである、［１］に記載の分散体。
［８］  前記高フッ素化酸ポリマーが、１，１−ジフルオロエチレンと２−（１，１−ジフルオロ−２−（トリフルオロメチル）アリルオキシ）−１，１，２，２−テトラフルオロエタンスルホン酸とのコポリマー、およびエチレンと２−（２−（１，２，２−トリフルオロビニルオキシ）−１，１，２，３，３，３−ヘキサフルオロプロポキシ）−１，１，２，２−テトラフルオロエタンスルホン酸とのコポリマーからなる群から選択される、［１］に記載の分散体。
［９］  前記高フッ素化酸ポリマーが、テトラフルオロエチレンとパーフルオロ（３，６−ジオキサ−４−メチル−７−オクテンスルホン酸）とのコポリマー、およびテトラフルオロエチレンとパーフルオロ（３−オキサ−４−ペンテンスルホン酸）とのコポリマーから選択される、［１］に記載の分散体。
［１０］  前記高フッ素化酸ポリマー対前記非フッ素化ポリマー酸の酸当量比が２以下である、［１］に記載の分散体。
［１１］  前記電気絶縁性酸化物ナノ粒子が５０ｎｍ以下の粒度を有する、［１］に記載の分散体。
［１２］  非導電性酸化物が、酸化ケイ素、酸化チタン類、酸化ジルコニウム、三酸化モリブデン、酸化バナジウム、酸化アルミニウム、酸化亜鉛、酸化サマリウム、酸化イットリウム、酸化セシウム、酸化第二銅、酸化第二スズ、酸化アンチモン、酸化タンタル類、およびそれらの組み合わせからなる群から選択される、［１］に記載の分散体。
［１３］  前記電気絶縁性酸化物が、二酸化ケイ素、二酸化チタン、およびそれらの組み合わせからなる群から選択される、［１］に記載の分散体。
［１４］  ［１］に記載の分散体から作製されたフィルム。
［１５］  ［１］に記載の分散体から作製された少なくとも１つの層を含む電子デバイス。